(57)【要約】【課題】物品の物理情報を電子的に記録する記録媒体を該物品に添付せず、ＩＤ情報のみを格納するＩＣタグを用いた物品管理を提供する。【解決手段】物品１を識別するＩＤ情報を記録したＩＣタグ１０１と検知材が添付された物品の物理変化を管理するために、前記検知材の示す色を測定する手段３と、該検知材の示す色を物理情報に変換する手段４と、該物理情報とＩＣタグリーダによって読み取られたＩＤ情報を関連付けてＩＤ物理データを形成し、ＩＣタグの外部に存在する物品データ管理手段６０１に対し該ＩＤ物理データを記録するＩＤ物理データ記録手段と、を用いる。【選択図】図１
2007314255.tif 000002
【特許請求の範囲】
【請求項１】
物品を識別するＩＤ情報を記録したＩＣタグから該ＩＤ情報を読み取るＩＣタグリーダを備え、
該ＩＣタグと検知材が添付された物品の物理変化を管理する物品管理システムであって、
前記検知材の示す色を測定する手段と、
前記測定された検知材の示す色を物理情報に変換する手段と、
前記変換された物理情報と前記ＩＣタグリーダによって読み取られたＩＤ情報を関連付けてＩＤ物理データを形成するＩＤ物理データ形成手段と、
前記ＩＣタグの外部に存在する物品データ管理手段に対し該ＩＤ物理データを記録するＩＤ物理データ記録手段と、
を有することを特徴とする物品管理システム。
【請求項２】
前記ＩＤ物理データ形成手段が、
前記物理情報と前記ＩＤ情報と前記ＩＤ情報を読み取った場所と前記ＩＤ情報を読み取った時刻とを関連付けたＩＤ物理データを形成する、
ことを特徴とする請求項１に記載の物品管理システム。
【請求項３】
前記ＩＤ物理データ形成手段が、
前記物理情報と、前記ＩＤ情報と、前記ＩＤ情報を読み取った場所，時刻のうちいずれかと、を関連付けたＩＤ物理データを形成する、
ことを特徴とする請求項１に記載の物品管理システム。
【請求項４】
前記検知材が、前記物品に対して定められた物理管理条件から逸脱した場合に、色の変化を示し、該色の変化が不可逆である、
ことを特徴とする請求項１乃至３のいずれかに記載の物品管理システム。
【請求項５】
前記ＩＣタグと前記検知材とが一体に形成されている、
ことを特徴とする請求項１乃至４のいずれかに記載の物品管理システム。
【請求項６】
物品を識別するＩＤ情報を記録したＩＣタグと該ＩＣタグから該ＩＤ情報を読み取るＩＣタグリーダを使用し、
該ＩＣタグと検知材が添付された物品の物理変化を管理する物品管理方法であって、
前記検知材の示す色を測定するステップと、
前記測定された検知材の示す色を物理情報に変換するステップと、
前記変換された物理情報と前記ＩＣタグリーダによって読み取られたＩＤ情報を関連付けてＩＤ物理データを形成するＩＤ物理データ形成ステップと、
前記ＩＣタグの外部に存在する物品データ管理手段に対し該ＩＤ物理データを記録するＩＤ物理データ記録ステップと、
を有することを特徴とする物品管理方法。
【請求項７】
前記ＩＤ物理データ形成ステップが、
前記物理情報と前記ＩＤ情報と前記ＩＤ情報を読み取った場所と前記ＩＤ情報を読み取った時刻とを関連付けたＩＤ物理データを形成する、
ことを特徴とする請求項６に記載の物品管理方法。
【請求項８】
前記ＩＤ物理データ形成ステップが、
前記物理情報と、前記ＩＤ情報と、前記ＩＤ情報を読み取った場所，時刻のうちいずれかと、を関連付けたＩＤ物理データを形成する、
ことを特徴とする請求項６に記載の物品管理方法。
【請求項９】
前記検知材に、前記物品に対して定められた物理管理条件から逸脱した場合に、色の変化を示し、該色の変化が不可逆である検知材を採用する、
ことを特徴とする請求項６乃至８のいずれかに記載の物品管理方法。
【請求項１０】
前記ＩＣタグと前記検知材とを一体に形成したタグを物品に添付する、
ことを特徴とする請求項６乃至９のいずれかに記載の物品管理方法。
【発明の詳細な説明】
【技術分野】
【０００１】
本発明は、ＩＣ（Ｉｎｔｅｇｒａｔｅｄ  Ｃｉｒｃｕｉｔ）タグを用いた物品管理システム及び物品管理方法に関するものである。
【背景技術】
【０００２】
近年、流通における上流から下流までの過程にわたって物品管理（例えば、サプライチェーンマネジメント）を行うシステムとして、ＩＣタグを用いた物品管理システムが数々提案または実現されている。さらに、このような物品管理システムには、温度管理を行うシステムも提案されている。温度管理システムの一例（特許文献１参照）を以下に説明する。
【０００３】
輸送される監視（あるいは管理）対象物は、対象物ＩＤ（Ｉｄｅｎｔｉｆｉｅｒ）情報を有する無線装置と共に輸送される。次に、その監視対象物に関する温度を含む輸送状態情報が、所定の測定手段によって測定される。その後に、輸送経路上にあって受信手段を有する情報収集装置に対して前記無線装置によって送信される。
【０００４】
前記の無線装置は、具体的には、温度センサ等の輸送状態情報測定手段を搭載する無線アクティブタグにより実現される。このようなセンサ搭載アクティブタグは、自ら電波を発する無線装置であるために電池を搭載し、かつ、輸送状態情報を無線送信する前に自らに該輸送状態情報を随時記録しておく追記可能な電子的な記録媒体を搭載するものである。それ故、センサ搭載アクティブタグは、一般に高価であり、かつ、ある程度の物理的大きさを有する。
【０００５】
以上のように、センサ搭載アクティブタグを使用して監視を行う条件は、次の通りである。まず、監視対象物である物品自体が、センサ搭載アクティブタグを付すに足るほどの価値があり、かつ、大きさが十分であること。あるいは、監視対象物の集合体（例えば、監視対象物が多数収められた箱単位，輸送パレット単位，輸送コンテナ単位）がセンサ搭載アクティブタグを付すほどの価値があり、かつ、大きさが十分であること。
【０００６】
また、センサ搭載アクティブタグは電池を搭載するため、ある時点で、電池交換しなければならないという問題があった。さらに、センサ搭載アクティブタグは一般に高価であるために、輸送過程の最終段階で回収して使いまわす手立てを講じる必要があった。
【特許文献１】特願２００６−７６６８７号公報（段落［００２４］〜［００２５］等）。
【発明の開示】
【発明が解決しようとする課題】
【０００７】
上述のような物品に関する温度管理システムでは、物品の温度情報（例えば、電子温度計から得られる温度情報）を電子的に記録する記録媒体を該物品に添付する必要がある。そのため、前記記録媒体の機能を前記物品に添付されたＩＣタグの記録部において実現する場合、該ＩＣタグの記録部は、温度情報を記録するために、追記可能でなければならない。さらに、ＩＣタグの記録部は、前記物品のＩＤ情報（即ち、物品を識別する識別子を含む情報）のみを格納する場合に比して大きな容量を備えざるを得ない。
【０００８】
以上のように、ＩＤ情報のみを格納するＩＣタグに比して高価なＩＣタグを使用せざるを得ず、ＩＣタグを付すべき対象の数に比例した数の高価なＩＣタグを使用するため、結果的に、安価な温度管理システムを提供できない。
【０００９】
また、高価なＩＣタグを輸送過程の最終段階で回収して使いまわす手立てを講じる場合でも、その手立てのためにコストと手間を必要とするため、結果的に、安価な温度管理システムを提供できない。
【００１０】
本発明は、前記課題に基づいてなされたものであって、物品の物理情報（例えば、温度情報）を電子的に記録する記録媒体を該物品に添付せず、ＩＤ情報のみを格納するＩＣタグと検知材を用いた物品管理システム及び物品管理方法を提供することにある。
【課題を解決するための手段】
【００１１】
本発明は、前記課題の解決を図るために、請求項１記載の発明は、物品を識別するＩＤ情報を記録したＩＣタグから該ＩＤ情報を読み取るＩＣタグリーダを備え、該ＩＣタグと検知材が添付された物品の物理変化を管理する物品管理システムであって、前記検知材の示す色を測定する手段と、前記測定された検知材の示す色を物理情報に変換する手段と、前記変換された物理情報と前記ＩＣタグリーダによって読み取られたＩＤ情報を関連付けてＩＤ物理データを形成するＩＤ物理データ形成手段と、前記ＩＣタグの外部に存在する物品データ管理手段に対し該ＩＤ物理データを記録するＩＤ物理データ記録手段と、を有することを特徴とする。
【００１２】
請求項２記載の発明は、請求項１記載の発明において、前記ＩＤ物理データ形成手段が、前記物理情報と前記ＩＤ情報と前記ＩＤ情報を読み取った場所と前記ＩＤ情報を読み取った時刻とを関連付けたＩＤ物理データを形成する、ことを特徴とする。
【００１３】
請求項３記載の発明は、請求項１記載の発明において、前記ＩＤ物理データ形成手段が、前記物理情報と、前記ＩＤ情報と、前記ＩＤ情報を読み取った場所，時刻のうちいずれかと、を関連付けたＩＤ物理データを形成する、ことを特徴とする。
【００１４】
請求項４記載の発明は、請求項１乃至３のいずれかに記載の発明において、前記検知材が、前記物品に対して定められた物理管理条件から逸脱した場合に、色の変化を示し、該色の変化が不可逆である、ことを特徴とする。
【００１５】
請求項５記載の発明は、請求項１乃至４のいずれかに記載の発明において、前記ＩＣタグと前記検知材とが一体に形成されている、ことを特徴とする。
【００１６】
請求項６記載の発明は、物品を識別するＩＤ情報を記録したＩＣタグと該ＩＣタグから該ＩＤ情報を読み取るＩＣタグリーダを使用し、該ＩＣタグと検知材が添付された物品の物理変化を管理する物品管理方法であって、前記検知材の示す色を測定するステップと、前記測定された検知材の示す色を物理情報に変換するステップと、前記変換された物理情報と前記ＩＣタグリーダによって読み取られたＩＤ情報を関連付けてＩＤ物理データを形成するＩＤ物理データ形成ステップと、前記ＩＣタグの外部に存在する物品データ管理手段に対し該ＩＤ物理データを記録するＩＤ物理データ記録ステップと、を有することを特徴とする。
【００１７】
請求項７記載の発明は、請求項６に記載の発明において、前記ＩＤ物理データ形成ステップが、前記物理情報と前記ＩＤ情報と前記ＩＤ情報を読み取った場所と前記ＩＤ情報を読み取った時刻とを関連付けたＩＤ物理データを形成する、ことを特徴とする。
【００１８】
請求項８記載の発明は、請求項６に記載の発明において、前記ＩＤ物理データ形成ステップが、前記物理情報と、前記ＩＤ情報と、前記ＩＤ情報を読み取った場所，時刻のうちいずれかと、を関連付けたＩＤ物理データを形成する、ことを特徴とする。
【００１９】
請求項９記載の発明は、請求項６乃至８のいずれかに記載の発明において、前記検知材に、前記物品に対して定められた物理管理条件から逸脱した場合に、色の変化を示し、該色の変化が不可逆である検知材を採用する、ことを特徴とする。
【００２０】
請求項１０記載の発明は、請求項６乃至９のいずれかに記載の発明において、前記ＩＣタグと前記検知材とを一体に形成したタグを物品に添付する、ことを特徴とする。
【００２１】
前記の請求項１，６の発明によれば、物品の物理情報を電子的に記録する記録媒体を該物品に添付せず、ＩＤ情報のみを格納したＩＣタグを用いて、該物品の物理情報を管理できる。
【００２２】
前記の請求項２，７の発明によれば、前記物理情報と前記ＩＤ情報に前記ＩＤ情報を読み取った場所と時刻とを関連付けたデータを外部の物品データ管理手段に記録できる。
【００２３】
前記の請求項３，８の発明によれば、前記物理情報と前記ＩＤ情報に前記ＩＤ情報を読み取った場所または時刻を関連付けたデータを外部の物品データ管理手段に記録できる。
【００２４】
前記の請求項４，９の発明によれば、検知材の色の変化の結果を維持できる。
【００２５】
前記の請求項５，１０の発明によれば、物品に前記ＩＣタグと前記検知材を同時に添付できる。
【００２６】
なお、さらに具体的には、請求項１乃至３のいずれかに記載の発明において、物品がさらされた物理変化範囲が保管すべき物理変化範囲として適するか否かを前記物理情報に基づいて判定し、その判定した結果を前記ＩＤ物理データに付加する手段を含むこともできる。即ち、前記判定した結果を外部の物品データ管理手段に記録できるため、ＩＣタグの位置（即ち、物品の位置）に関わらず、その判定結果を取得できる。
【００２７】
請求項６乃至８のいずれかに記載の発明において、物品がさらされた物理変化範囲が保管すべき物理変化範囲として適するか否かを前記物理情報に基づいて判定し、その判定した結果を前記ＩＤ物理データに付加するステップを含むこともできる。即ち、前記判定した結果を外部の物品データ管理手段に記録できるため、ＩＣタグの位置（即ち、物品の位置）に関わらず、その判定結果を取得できる。
【発明の効果】
【００２８】
以上示したように請求項１，６の発明によれば、ＩＤ情報のみを格納したＩＣタグを用いた安価な物品管理システムを提供できる。
【００２９】
請求項２，７の発明によれば、ＩＣタグの位置（即ち、物品の位置）に関わらず、該物品に関する場所と時刻を取得できる。
【００３０】
請求項３，８の発明によれば、ＩＣタグの位置（即ち、物品の位置）に関わらず、該物品に関する場所または時刻を取得できる。
【００３１】
請求項４，９の発明によれば、物理管理条件から逸脱した時間後でも、物理管理条件を逸脱したことを検出できる。
【００３２】
請求項５，１０の発明によれば、ＩＣタグからＩＤ情報を取得する操作と検知材から物理情報を取得する操作を、容易に、かつ、確実に行うことができる。
【００３３】
これらを以って物品管理サービス分野に貢献できる。
【発明を実施するための最良の形態】
【００３４】
本実施形態における物品管理システムの装置構成を図１に基づいて説明する。
【００３５】
図１における物品管理システムの装置構成は、管理対象である物品１，検知材（物理変化を検知し変色して表す部材；別称はインジケータ）が塗布されたＩＣタグ１０１，ＩＣタグ１０１から情報を読取るＩＣタグリーダ２，色を測定する色彩計３，ＩＣタグリーダ２と色彩計３を備えた一般的な計算機（例えば、パーソナルコンピュータ）４，計算機４に格納された色と物理的な変化（例えば、温度変化，湿度変化，紫外線変化）の対応関係を示す対応表Ｔ，計算機４が接続されたネットワーク５，ネットワーク５に接続された物品管理センタ６，物品管理センタ６に備えられた物品データ管理手段（例えば、物品管理データベース）６０１から構成される。
【００３６】
なお、以下では、検知材として示温材、物理的な変化として温度変化をそれぞれ採用して説明する。また、示温材と検知材を区別することもあるが、以下の説明では、示温材も検知材の一種として扱う。
【００３７】
図１中の物品１に、物品１のＩＤ情報が記録されているＩＣタグ１０１が貼付してある。なお、ＩＣタグは、ＲＦＩＤ（Ｒａｄｉｏ  Ｆｒｅｑｕｅｎｃｙ  Ｉｄｅｎｔｉｆｉｃａｔｉｏｎ）、ＲＦ（Ｒａｄｉｏ  Ｆｒｅｑｕｅｎｃｙ）タグ、電子タグとも呼ばれる。図１中のＩＣタグ１０１はシート状であり、表面に示温材が塗布してあるものとする。また、剥がされないように、ＩＣタグに示温材が含まれるシールが貼付してある実施形態でも無論構わない。
【００３８】
その示温材は、温度によって異なる色を呈する材料であって、サーモクロミック材料などとも呼ばれ、日本国内においても、いくつかのメーカから様々な商品形態として市販されている。本実施形態におけるＩＣタグ１０１に塗布された示温材は、少なくとも、物品１の保管すべき温度範囲と、該温度範囲を逸脱した温度範囲とで、異なる色を呈する必要がある。
【００３９】
本実施形態において、さらされた物品１の温度が、物品１の保管すべき温度範囲（即ち、物理量的範囲）から逸脱した温度範囲に移行した場合、ＩＣタグ１０１に塗布された示温材の色は変化するが、該変化は不可逆であるものとする。すなわち、一旦、物品１の保管すべき温度範囲から逸脱した場合、その後、物品１の保管すべき温度範囲に復帰した場合でも、ＩＣタグ１０１に塗布された示温材の色は、物品１の保管すべき温度範囲を示す色に復帰しない。そのため、色の変化が不可逆な示温材は、その色の変化の結果を維持できる。
【００４０】
本実施形態では、ＩＣタグ１０１に記録されているＩＤ情報をＩＣタグリーダ２によって読み取り、そのＩＤ情報の読み取り作業の際、ＩＣタグ１０１に塗布された示温材の色を、色彩計３によって測定する。
【００４１】
なお、色彩計の代わりに分光測色計と呼ばれる測定器を用いても無論構わない。色彩計や分光測色計は、照明光源と受光器を備え、照明光源からの光を物質に照射し反射光を測定し、該物質の色を測定する機器であり、日本国内においても、いくつかのメーカから市販されている。
【００４２】
図１中の色彩計３は、示温材の目的とする色変化を測定する装置である。なお、示温材の目的とする色変化を測定する装置構成として次のようなものが考えられる。
【００４３】
照明光源として前記目的にかなった特定の波長の光を放つ発光ダイオードと、受光器として該目的にかなった特定の波長の光を検知するフォトダイオードとの組合せを用いる装置構成でも良い。
【００４４】
照明光源としてストロボ光源と、受光器の代わりにカメラを用い、示温材とともに、示温材の温度による色変化を予め示す色見本（カラーチャート）とを該カメラで撮影する構成でも構わない。なお、この構成の場合、撮影した画像から、比色法により、示温材の呈する色が示す温度情報を知ることができる。
【００４５】
示温材の色の変化と共に、該示温材の表面において、温度を示すために予め記録された数字が現れる製品を用いてもよい。なお、このような製品を用いる場合には、照明光源として十分な光量の白色光源と、受光器の代わりにカメラを用いる構成としてもよく、撮影した画像から画像処理により数字を読み取り温度情報を知ることができる。
【００４６】
色彩計３によって測定されたＩＣタグ１０１に塗布された示温材の色に関する情報は、計算機４によって、色と温度の対応関係を示す対応表Ｔを参照して、前記示温材の呈する色が示す温度に関する情報に変換され、ＩＣタグリーダ２によって読み取られたＩＤ情報に関連付けられて、データとして記録される。
【００４７】
なお、前記対応表Ｔは、計算機４自体に備えられていてもよいし、計算機４が接続可能な外部のデータベースに保存されていてもよい。また、読み取られたＩＤ情報と温度情報などの物理的な情報を関連付けたデータ（以下、ＩＤ物理データと称する）は、計算機４に長期間に渡って記録されていてもよいが、計算機４の外部のデータベースに転送され記録されてもよい。
【００４８】
例えば、図１では、ＩＤ物理データは、ネットワーク５を介して、外部の物品管理センタ６にある物品管理データベース６０１に記録される。
【００４９】
ここで、物品に添付された示温材の呈する色から温度情報に変換する方法を図２に基づいて説明する。なお、以下の説明において、色彩計３によって色を測定する方法は、物品１に添付されたＩＣタグ１０１の示温材に光を照射し、該示温材から反射した光について、人の眼がもつ赤色，緑色，青色に対する感度に近いカラーフィルタを介して三刺激値を光電的に直読する方法である。
【００５０】
まず、読み取られた色情報である赤色，緑色，青色に対応する三刺激値は数値として計算機４にいったん記録される。計算機４は、色情報（すなわち、赤色，緑色，青色に対応する三刺激値）と温度との対応関係を示す対応曲線（または対応表）Ｇを有してものとする。
【００５１】
そして、読み取られた色情報である赤色，緑色，青色に対応する三刺激値の数値を、前記対応曲線（または対応表）Ｇを用いて、温度情報に変換する。
【００５２】
なお、前記対応曲線（または対応表）Ｇに記してある温度と完全に合致しない中間的な温度の値については、前記対応曲線（または対応表）Ｇに記してある前後の温度から補間することによって、より近い温度の値を得ることが出来る。
【００５３】
さらに、温度管理の必要な物品１に添付されたＩＣタグ１０１に記録されたＩＤ情報と、該物品１に添付されたＩＣタグ１０１の示温材の示す色から変換されて得られた温度情報とを関連付ける（紐づける）方法を以下に説明する。
【００５４】
ＩＣタグリーダが前記ＩＤ情報を読み取った時点で、同時点からある一定の時間、該ＩＣタグリーダが該ＩＤ情報を再度読み取ったとしても、物品１は１つと数えられるものとする。なお、ある一定の時間とは、該物品１の次に異なる物品が届くまでの間の時間より短い時間を設定する。
【００５５】
前記ＩＣタグリーダが前記ＩＤ情報を読み取った時点を起点にして、その後、該ＩＤ情報は計算機４に到達し記録され、次いで、該計算機４は、接続された色彩計３による該物品に添付された示温材の示す色の測定を開始させる。
【００５６】
前記色彩計３によって読み取った色情報である赤色，緑色，青色に対応する三刺激値の数値を、計算機４は温度情報に変換し、既に記録された前記ＩＤ情報と該温度情報をセットにしたデータを生成する。
【００５７】
以上のように、温度管理の必要な物品に添付されたＩＣタグに記録されたＩＤ情報と、該物品に添付された示温材の示す色から変換されて得られた温度情報とを紐づける（関連付ける）ことができる。
【００５８】
なお、ＩＤ情報と温度情報とを関連付けたデータ（即ち、ＩＤ物理データ）に付加する情報としては、次のようなものが考えられる。
【００５９】
ＩＤ物理データに対し、ＩＤ情報を読み取った時刻についての情報を付加してもよい。例えば、ＩＤ情報を読み取った時刻に関する情報を前記データに付加する方法としては、図１における計算機４に内蔵された時計装置によって与えられる時刻に関する情報を該ＩＤ物理データに付加する方法がある。
【００６０】
ＩＤ物理データに対し、ＩＤ情報を読み取った場所、該場所における作業内容や作業担当者についての情報を、図１における計算機４に記憶させ、該ＩＤ情報を読み取った場所、該場所における作業内容、作業担当者についての情報の全部あるいは一部を付加してもよい。
【００６１】
なお、ＩＤ情報を読み取った場所、該場所における作業内容についての情報を該ＩＤ物理データに付加する方法としては、例えば、図１における物品１のＩＤ情報をＩＣタグリーダ２によって読み取る場所及び該場所における作業内容に関する情報を、予め、計算機４に記憶させておき、前記ＩＤ情報を読み取った直後に、ＩＤ物理データに付加する方法がある。
【００６２】
また、作業担当者についての情報を該ＩＤ物理データに付加する方法としては、例えば、該作業担当者が、図１における計算機４を用いた作業を開始するにあたって、該作業担当者の名前やＩＤといった作業担当者についての情報を計算機４に入力しておき、前記物品１のＩＤ情報を読み取った直後に、ＩＤ物理データに付加する方法がある。
【００６３】
例えば、計算機４に備えられ、ＩＤ情報を読み取った場所や該場所における作業内容や作業担当者についての情報を入力する手段（キーボード装置、ディスプレイ装置など）によって入力された情報（即ち、場所や作業内容に関する情報）を計算機４に記憶させても良い。
【００６４】
さらに、ＩＤ物理データに対し、物品がさらされた温度範囲が保管すべき温度範囲として適するか否かを前記温度情報に基づいて判定した結果を付加してもよい。例えば、物品がさらされた温度範囲が保管すべき温度範囲として適するか否かを前記温度情報に基づいて判定するプログラムを図１中の計算機４に格納し実行し、該適否に関する情報を付加してもよい。なお、物品１の保管すべき温度範囲に関する情報は、物品１に貼付されたラベル等、物品１のメーカや輸入業者等が提供する情報に含まれ、容易に得られるものとする。
【００６５】
ＩＤ物理データの生成手順を図３に基づいて説明する。なお、図３中で図１及び図２中の符号と同じものの説明は省略する。
【００６６】
即ち、図３中の手順は、温度管理の必要な物品に添付されたＩＣタグに記録されたＩＤ情報と、該物品に添付された示温材の示す色から変換されて得られた温度情報とを紐づけ、ＩＤ情報，温度情報，読取り時刻，場所，作業内容，作業担当者および温度範囲適否をセットにしてＩＤ物理データを生成する手順である。
【００６７】
まず、作業担当者Ｕが、場所，作業内容，作業担当者に関する情報などと、管理する物品の保管すべき温度範囲の情報と、を計算機４に入力する（Ｍ１１）。
【００６８】
次に、計算機４は、場所，作業内容，作業担当者に関する情報などと、管理する物品の保管すべき温度範囲の情報と、を記録する（Ｓ１１）。なお、記録には、計算機４に備えられた外部記憶装置などを使用しても良い。
【００６９】
次に、ＩＣタグリーダ２がＩＤ情報を読み取る（Ｓ１２）。
【００７０】
次に、読み取られたＩＤ情報は、計算機４に送信される（Ｍ１２）。
【００７１】
次に、計算機４は、ＩＤを読み取った時刻と共にＩＤ情報を記録する（Ｓ１３）。
【００７２】
次に、計算機４は、色彩計３に対して測定開始を指示する（Ｍ１３）。
【００７３】
次に、色彩計３は、測定を行う（Ｓ１４）。
【００７４】
次に、色彩計３は、色情報を計算機４に送信する（Ｍ１４）。
【００７５】
次に、計算機４は、受信した色情報を温度情報に変換する（Ｓ１５）。
【００７６】
次に、計算機４は、温度情報と保管すべき温度範囲の情報に基づいて保管すべき温度範囲か否かを判定する（Ｓ１６）
そして、ＩＤ情報，温度情報，読取り時刻，場所，作業内容，作業担当者，温度範囲適否に関する情報をセットにしてＩＤ物理データを生成する（Ｓ１７）。
【００７７】
なお、計算機４が生成するＩＤ物理データの一例を図４中の符号Ｄ１に示す。ＩＤ物理データは、計算機４に長期間記録されていてもよいが、計算機４の外部のデータベース（例えば、図１における物品管理データベース６０１）に転送され、該データベースに記録されてもよい。
【００７８】
上述の物品管理システムに関する方法を記述したコンピュータプログラムを、物品管理システムに関する方法に必要とされる入出力データを格納したメモリや外部記憶装置等にアクセスするように実装してもよい。
【００７９】
以上のように、本実施形態は、温度管理に必要とされる物品に、該物品のＩＤ情報を記録したＩＣタグと示温材とを添付し、前記ＩＤ情報をＩＣタグリーダを用いて読み取る際に、前記示温材の示す色を測定し、該示温材の示す色から温度情報に変換し、該温度情報と前記ＩＤ情報とを紐づけてＩＣタグの外部に記録する。
【００８０】
また、温度管理の必要な物品に、該物品のＩＤ情報を記録したＩＣタグと示温材とを添付し、前記ＩＤ情報をＩＣタグリーダにより読み取る際に、前記示温材の示す色を測定する手段を有し、かつ、該示温材の示す色から温度情報に変換する手段を有し、該温度情報と前記ＩＤ情報とを紐づけてＩＣタグの外部に記録する。
【００８１】
本実施形態は、上記温度情報と上記ＩＤ情報と、上記ＩＤ情報を読み取った場所と時刻についての情報の一方あるいは両方とを紐付ける。
【００８２】
本実施形態では、上記示温材は、上記物品について定められた温度管理条件（即ち、物理管理条件；管理するための特定の物理量値または物理量範囲）から逸脱した場合に、色の変化を示し、該変化が不可逆である。
【００８３】
本実施形態は、上記ＩＣタグと上記示温材とが一体となっている。
【００８４】
そして、温度管理の必要な物品に、該物品のＩＤ情報を記録したＩＣタグと示温材とを添付し、前記ＩＤ情報をＩＣタグリーダにより読み取る際に、前記示温材の示す色を測定し、該示温材の示す色から温度情報に変換し、該温度情報と前記ＩＤ情報とを紐づける（関連付ける）手段を有することによって物品管理システムを提供できる。
【００８５】
そのため、物品の温度情報を電子的に記録する記録媒体を該物品に添付する必要がなく、ＩＤ情報のみを格納し追記可能な記録部を持たないＩＣタグ、ないし記録部の記録容量のきわめて小さいＩＣタグ、すなわち安価なＩＣタグを用いた、安価な物品管理システムを提供できる。さらに、高価な電子温度計や電子湿度計などの専用のセンサ装置を用いなくても、検知材と色を測定する手段のみで、物理情報を取得できる。
【００８６】
なお、以上の説明では、物品の温度に関して、検知材として示温材、物理的な変化として温度変化をそれぞれ採用したが、例えば、検知材として紫外線検知材（特定量の紫外線を受けると変色する材料）、その紫外線検知材の色の変化を紫外線量に変換する対応表を用いて、物品の紫外線に関する管理を行うこともできる。
【００８７】
［実施例］
本実施形態における実施例を図５に基づいて説明する。なお、本実施例は、物品の流通過程での温度管理に用いたものである。なお、図５中で図１中の符号と同じものの説明は省略する。
【００８８】
本実施例では、物品１のメーカにおいて、表面に示温材が塗布してあるＩＣタグ１０１が物品に貼付されるものとする。
【００８９】
次に、ＩＣタグ１０１が貼付された物品１は流通センタに運ばれ、流通センタへの入庫時に、ＩＣタグ１０１のＩＤ情報はＩＣタグリーダ２０１によって読み取られると共に、ＩＣタグ１０１の示温材の色は色彩計３０１によって読み取られる。
【００９０】
次に、計算機４０１は、図２に示した方法で読み取られた示温材の色を温度情報に変換し、該温度情報と前記ＩＤ情報に、図３に示したような方法で該ＩＤ情報を読み取った際の場所，時刻，作業内容，作業担当者，温度範囲の適否等に関する情報を付加したＩＤ物理データ４０１１を、ネットワーク５を介して、外部の物品管理センタ６に送る。ＩＤ物理データ４０１１は物品管理データベース６０１に記録される。
【００９１】
次に、ＩＣタグ１０１が貼付された物品１は、流通センタでのピッキング（または出荷）時に、同様に、ＩＣタグ１０１のＩＤ情報はＩＣタグリーダ２０２によって読み取られると共に、ＩＣタグ１０１の示温材の色は色彩計３０２によって読み取られる。
【００９２】
次に、計算機４０２は、図２に示した方法で読み取られた示温材の色を温度情報に変換し、該温度情報と前記ＩＤ情報に、図３に示した方法で該ＩＤ情報を読み取った際の場所，時刻，作業内容，作業担当者，温度範囲の適否等に関する情報を付加したＩＤ物理データ４０２１を、ネットワーク５を介して、外部の物品管理センタ６に送る。ＩＤ物理データ４０２１は物品管理データベース６０１に記録される。
【００９３】
次に、ＩＣタグ１０１が貼付された物品１は、小売店への入庫及び検品時に、同様に、ＩＣタグ１０１のＩＤ情報はＩＣタグリーダ２０３によって読み取られると共に、ＩＣタグ１０１の示温材の色は色彩計３０３によって読み取られる。
【００９４】
そして、計算機４０３は、図２に示した方法で読み取られた示温材の色を温度情報に変換し、該温度情報と前記ＩＤ情報に、図３に示したような方法で該ＩＤ情報を読み取った際の場所，時刻，作業内容，作業担当者，温度範囲の適否等に関する情報を付加したＩＤ物理データ４０３１を、ネットワーク５を介して、外部の物品管理センタ６に送る。ＩＤ物理データ４０３１は物品管理データベース６０１に記録される。
【００９５】
以上のように、物品１と同種類の製品の温度管理をすべき人間は、物品１のＩＤ情報を得た上で、物品管理データベース６０１にアクセスして、物品１のＩＤ情報に基づいて物品１の温度管理に関する情報を得ることが出来る。例えば、図６中の符号Ｄ２〜Ｄ４のような形式で、物品１の温度管理についての情報を得ることが可能である。
【００９６】
また、物品１と同種類の製品の温度管理をすべき人間は、図６中の符号Ｄ２〜Ｄ４のような形式で、物品１の温度管理についての情報を得ることによって、物品１と同種類の製品の流通過程における温度管理について、流通センタでの保管状態に問題があると考え、何からの改善策を講じることもできる。
【００９７】
なお、物品１と同種類の製品の保管すべき温度範囲に関する情報は、物品１と同種類の製品のメーカが提供する情報に含まれ、容易に得られるものとする。例えば、物品１と同種類の製品の製品ラベルに記載された情報から物品１と同種類の製品の保管すべき温度範囲についての情報を得てもよいし、または、メーカの物品情報データベース７０１にアクセスし、物品１のＩＤ情報に基づいて物品１と同種類の製品の保管すべき温度範囲についての情報を得てもよい。
【００９８】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００９９】
例えば、本実施形態の変形としては、検知材として湿度検知材、その湿度検知材の色の変化を湿度に変換する対応表を用いて、物品の湿度に関する管理を行うこともできる。
【０１００】
また、可視光線を検知材に照射して色の変化を取得するのではなく、不可視光線（例えば、赤外線）を照射して色の変化を取得して管理を行っても良い。
【図面の簡単な説明】
【０１０１】
【図１】本実施形態における物品管理システムの装置構成図。
【図２】本実施形態における物品に添付された示温材の呈する色から温度情報に変換する方法を示す図。
【図３】本実施形態におけるＩＤ物理データに関する生成手順を示す図。
【図４】本実施形態におけるＩＤ物理データの例を示す図。
【図５】本実施例における装置構成図。
【図６】本実施例におけるＩＤ物理データの例を示す図。
【符号の説明】
【０１０２】
１…物品
１０１…示温材が塗布されたＩＣタグ
２，２０１，２０２，２０３…ＩＣタグリーダ
３，３０１，３０２，３０３…色彩計
４，４０１，４０２，４０３…計算機
４０１１，４０２１，４０３１，Ｄ１〜Ｄ４…ＩＤ物理データ
５…ネットワーク
６…物品管理センタ
６０１…物品管理データベース
７０１…物品情報データベース
Ｇ…三刺激値と温度の関係を示すグラフ
Ｕ…作業担当者
Ｔ…色と温度変化の対応関係を示す対応表
【図１】
2007314255.tif 000003
【図２】
2007314255.tif 000004
【図３】
2007314255.tif 000005
【図４】
2007314255.tif 000006
【図５】
2007314255.tif 000007
【図６】
2007314255.tif 000008